(57)【要約】【課題】堅牢性と薄型化とを両立する携帯型電子機器を提供すること。【解決手段】表示器が第１の凹部に収容され、バッテリが第２の凹部に収容されるので、表示器及びバッテリが５面で支持される。これにより、表示器及びに対する堅牢性が向上する。アルミダイカストで基体を形成するため、軽量及び薄型でありながらも剛性の高い基体を形成できるとともに、高精度の平面度を達成できるので、基体と表示器及びバッテリとの間にクリアランスが生じ難い。これにより、基体と表示器及びバッテリとが密接するので、剛性を向上させるとともに薄型の携帯型電子機器を提供可能である。【選択図】図６
2010055361.tif 000002
【特許請求の範囲】
【請求項１】
表示画面を有する表示器と、
前記表示器を収容する第１の凹部を有する、アルミダイカストからなる基体と、
前記基体を収容し、前記表示器の前記表示画面に対応する窓部を有する外装部と
を具備する携帯型電子機器。
【請求項２】
請求項1に記載の携帯型電子機器であって、
前記携帯型電子機器に電源供給可能なバッテリをさらに具備し、
前記基体は、前記第１の凹部に表裏対応して、前記バッテリを収容する第２の凹部を有する
携帯型電子機器。
【請求項３】
請求項２に記載の携帯型電子機器であって、
前記外装部は、
前記基体の前記第１の凹部を含む第１の主面に対応する第１の外装部材と、
前記基体の前記第２の凹部を含む第２の主面に対応する第２の外装部材と、
前記第１の外装部材と前記第２の外装部材とを前記基体の前記各主面に対する側面で連続的に連結する環状の連結外装部材とを有する
携帯型電子機器。
【請求項４】
請求項３に記載の携帯型電子機器であって、
前記第１の外装部材は、前記側面に沿った第１の折り曲げ部を有し、
前記第２の外装部材は、前記側面に沿った第２の折り曲げ部を有し、
前記連結外装部材は、
前記第１の外装部材の前記第１の主面に対応する面の外形より突出した膨出部と、
前記膨出部より前記膨出部の内周側に突出して設けられ、前記基体の側面に当接して前記基材の位置決めを行う位置決め部と、
前記膨出部の内周面と前記位置決め部とで構成され、前記第１の外装部材の前記第１の折り曲げ部が係合される第１の係合部と、
前記膨出部の内周面と前記位置決め部とで構成され、前記第２の外装部材の前記第２の折り曲げ部が係合される第２の係合部とを有する
携帯型電子機器。
【請求項５】
請求項４に記載の携帯型電子機器であって、
断面が略長方形状の音声出力ジャックと、
前記第１の外装部材と前記第２の外装部材との間に挟持され、前記音声出力ジャックの断面外形に対応する断面外形を有し、前記音声出力ジャックの前記長方形の一方の長辺に対応する一面を露出しつつ保持する保持部材とをさらに具備し、
前記音声出力ジャックの前記一面は、前記第１の外装部材及び前記第２の外装部材のいずれか一方に当接する
携帯型電子機器。
【請求項６】
請求項５に記載の携帯型電子機器であって、
互いに表裏対応する第１の部品実装面及び第２の部品実装面を有する第１の回路基板と、
第３の部品実装面を有し、前記第１の回路基板と電気的に接続される第２の回路基板と、
前記第１の回路基板の前記第１の部品実装面の凹凸に対応する第１の凹凸面を有し、前記第２の外装部材と前記第１の回路基板との間に介在する第１のスペーサ部材と、
前記第１の回路基板の前記第２の部品実装面の凹凸に対応する第２の凹凸面と、前記第２の回路基板の前記第３の部品実装面の凹凸に対応する第３の凹凸面を有し、前記第１の回路基板と前記第２の回路基板との間に介在する第２のスペーサ部材と、
をさらに具備する携帯型電子機器。
【請求項７】
請求項６に記載の携帯型電子機器であって、
前記第１の回路基板又は前記第２の回路基板に設けられ、外部機器が接続可能なコネクタと、
前記第１の回路基板又は前記第２の回路基板に設けられたスライド式の第１のスイッチと、
前記第１のスイッチをユーザにより操作させるための第１の操作部と、
前記第１の回路基板又は前記第２の回路基板に設けられた押下式の第２のスイッチと、
前記第２のスイッチをユーザにより操作させるための第２の操作部と、
前記コネクタの先端を保護するコネクタ保護部と、
前記第１の操作部をスライド可能に支持する支持部とをさらに具備し、
前記コネクタ保護部、前記支持部及び前記第２の操作部は、一体成形される
携帯型電子機器。
【発明の詳細な説明】
【技術分野】
【０００１】
本発明は、堅牢性と薄型化とを両立する携帯型電子機器に関する。
【背景技術】
【０００２】
携帯型音楽再生装置や携帯電話等の携帯型電子機器において、外観性及び操作性当を向上させるため、薄型化が要求されるとともに、表示部の表示面等の破損を防止するため、堅牢性が要求されている。そこで近年、この要求に対応した携帯型電子機器が提案されている（例えば、特許文献１参照。）。
【０００３】
特許文献１に記載された携帯型電子機器は、マグネシウムダイカストからなるフレーム部を有する。このフレーム部は、略矩形板状に形成されたフレーム面と、フレーム面を包囲するフレーム枠とを有する箱型構造を有する。フレーム面の表裏には、それぞれ液晶表示部と基板とが装着される。フレーム面は湾曲して形成されており、表示部の中央部がフレーム面に接触せず、周縁でフレーム面に接触している。
【０００４】
上記構成によれば、マグネシウムダイカストからなるフレーム部が有する箱型構造により、携帯型電子機器の堅牢性を向上させている。また、液晶表示部の中央部がフレーム面に接触しない構成であるため、携帯型電子機器に衝撃が加わった場合等であっても、衝撃が表示部に伝わりにくい構成とされている。
【０００５】
【特許文献１】特開２００７−２２６２８５号公報（段落[００３４]〜[００３６]、図６）
【発明の開示】
【発明が解決しようとする課題】
【０００６】
しかしながら、マグネシウムダイカストは、薄肉に形成すると剛性が低下するため、携帯型音楽再生装置の堅牢性が低下してしまう。そこで、堅牢性を向上させるためにフレーム部を厚肉に形成すると、携帯型電子機器の厚みが増加するおそれが生じる。また、堅牢性を向上させるためにフレーム面が湾曲して形成されているため、部品同士の間にクリアランスが生じる結果、携帯型電子機器の厚みが増加するおそれがある。
【０００７】
以上のような事情に鑑み、本発明の目的は、堅牢性と薄型化とを両立する携帯型電子機器を提供することにある。
【課題を解決するための手段】
【０００８】
上記目的を達成するため、本発明に係る携帯型電子機器は、表示器と、基体と、外装部とを具備する。表示器は、表示画面を有する。基体は、前記表示器を収容する第１の凹部を有し、アルミダイカストからなる。外装部は、前記基体を収容し、前記表示器の前記表示画面に対応する窓部を有する。
【０００９】
本発明によれば、表示器が第１の凹部に収容されるので、表示器が５面で支持される。これにより、表示器に対する堅牢性が向上する。アルミダイカストで基体を形成するため、軽量及び薄型でありながらも剛性の高い基体を形成できるとともに、高精度の平面度を達成できるので、基体と表示器との間にクリアランスが生じ難い。これにより、基体と表示器とが密接するので、剛性を向上させるとともにさらに薄型の携帯型電子機器を提供可能である。
【００１０】
本発明において、前記携帯型電子機器に電源供給可能なバッテリをさらに具備する。前記基体は、前記第１の凹部に表裏対応して、前記バッテリを収容する第２の凹部を有する。
【００１１】
本発明によれば、バッテリが第２の凹部に収容されるので、バッテリが５面で支持される。これにより、バッテリに対する堅牢性が向上する。ここでもバッテリと表示器との間にクリアランスが生じ難く、バッテリと表示器とが密接するので、剛性を向上させるとともにさらに薄型の携帯型電子機器を提供可能である。
【００１２】
本発明において、前記外装部は、第１の外装部材と、第２の外装部材と、環状の連結外装部材とを有する。第１の外装部材は、前記基体の前記第１の凹部を含む第１の主面に対応する。第２の外装部材は、前記基体の前記第２の凹部を含む第２の主面に対応する。連結外装部材は、前記第１の外装部材と前記第２の外装部材とを前記基体の前記各主面に対する側面で連続的に連結する。
【００１３】
本発明によれば、外装部材は環状であり、第１の外装部材と第２の外装部材とを連続的に連結する。すなわち、外装部材が間断のない一体的な部材であるため、第１の外装部材と第２の外装部材とが強固に連結される。これにより、携帯型電子機器の堅牢性を向上させることができる。
【００１４】
本発明において、前記第１の外装部材は前記側面に沿った第１の折り曲げ部を有する。前記第２の外装部材は前記側面に沿った第２の折り曲げ部を有する。前記連結外装部材は、膨出部と、位置決め部と、第１の係合部と、第２の係合部とを有する。膨出部は、前記第１の外装部材の前記第１の主面に対応する面の外形より突出する。位置決め部は、前記膨出部より前記膨出部の内周側に突出して設けられ、前記基体の側面に当接して前記基材の位置決めを行う。第１の係合部は、前記膨出部の内周面と前記位置決め部とで構成され、前記第１の外装部材の前記第１の折り曲げ部が係合される。第２の係合部は、前記膨出部の内周面と前記位置決め部とで構成され、前記第２の外装部材の前記第２の折り曲げ部が係合される。
【００１５】
本発明によれば、前記膨出部の内周面と前記位置決め部とで構成される第１の係合部及び第２の係合部を設けることで位置決め部が断面視略Ｈ形状を有する。これにより、連結外装部材自体に加えられたねじれ等の衝撃に強い構造となり、携帯型電子機器の堅牢性を向上させることができる。膨出部が第１の主面に対応する面の外形より突出するため、ユーザは携帯型電子機器を実際の表面積より小さく、実際の厚みよりも小さいものと認識するとともに、ユーザの保持性が向上する。
【００１６】
本発明において、電子機器は、断面が略長方形状の音声出力ジャックと、保持部材とをさらに具備する。保持部材は、前記第１の外装部材と前記第２の外装部材との間に挟持され、前記音声出力ジャックの断面外形に対応する断面外形を有し、前記音声出力ジャックの前記長方形の一方の長辺に対応する一面を露出しつつ保持する。前記音声出力ジャックの前記一面は、前記第１の外装部材及び前記第２の外装部材のいずれか一方に当接する。
【００１７】
本発明によれば、音声出力ジャックの一面は、第１の外装部材及び第２の外装部材のいずれか一方に支持される。これにより、音声出力ジャックを４面方向から包囲する必要が無くなり、電子機器の厚みを小さくすることができる。具体的には、電子機器の厚みは、第１の外装部材の厚み、第２の外装部材の厚み及び音声出力ジャックを保持する保持部材の厚みの合計とすることができ、電子機器の厚みを極めて小さくすることができる。
【００１８】
本発明において、電子機器は、第１の回路基板と、第２の回路基板と、第１のスペーサ部材と、第２のスペーサ部材とをさらに具備する。第１の回路基板は、互いに表裏対応する第１の部品実装面及び第２の部品実装面を有する。第２の回路基板は、第３の部品実装面を有し、前記第１の回路基板と電気的に接続される。第１のスペーサ部材は、前記第１の回路基板の前記第１の部品実装面の凹凸に対応する第１の凹凸面を有し、前記第２の外装部材と前記第１の回路基板との間に介在する。第２のスペーサ部材は、前記第１の回路基板の前記第２の部品実装面の凹凸に対応する第２の凹凸面と、前記第２の回路基板の前記第３の部品実装面の凹凸に対応する第３の凹凸面を有し、前記第１の回路基板と前記第２の回路基板との間に介在する。
【００１９】
本発明によれば、第１の外装部材又は第２の外装部材に外部から圧力が加わった場合であっても、スペーサ部材により第１の回路基板及び第２の回路基板の位置関係にずれが生じ難く、各回路基板が損傷することを防止することが可能となる。
【００２０】
本発明において、電子機器は、コネクタと、スライド式の第１のスイッチと、第１の操作部と、押下式の第２のスイッチと、第２の操作部と、コネクタ保護部と、支持部とをさらに具備する。前記コネクタ保護部、前記支持部及び前記第２の操作部は、一体成形される。コネクタは、前記第１の回路基板又は前記第２の回路基板に設けられ、外部機器が接続可能である。第１のスイッチは、前記第１の回路基板又は前記第２の回路基板に設けられる。第１の操作部は、前記第１のスイッチをユーザにより操作させるためのものである。第２のスイッチは、前記第１の回路基板又は前記第２の回路基板に設けられる。第２の操作部は、前記第２のスイッチをユーザにより操作させるためのものである。コネクタ保護部は、前記コネクタの先端を保護する。支持部は、前記第１の操作部をスライド可能に支持する。
【００２１】
本発明によれば、コネクタ保護部、支持部及び第２の操作部が一体成形されるため、部品点数を削減することが可能となるとともに組立作業が簡略化することができ、それらに伴うコストを削減することも可能となる。
【発明の効果】
【００２２】
以上のように、本発明に係る電子機器によれば、堅牢性と薄型化とを両立することが可能となる。
【発明を実施するための最良の形態】
【００２３】
以下、本発明の実施形態を図面に基づき説明する。
【００２４】
［携帯型電子機器の構成］
図１は、本実施形態に係る携帯型電子機器を示す表面斜視図である。図２は、図１に示す携帯型電子機器を示す裏面斜視図である。
【００２５】
図１及び図２に示すように、デジタルオーディオプレーヤ（以下、ＤＡＰ（Ｄｉｔａｌ  Ａｕｄｉｏ  Ｐｌａｙｅｒ）と言う。）１００（携帯型電子機器）は、外装部１１０に覆われている。外装部１１０には、窓部１０１と、入力部１０２と、音声出力ジャック１０３と、マルチコネクタ１０４と、ノイズキャンセリングスイッチレバー１０５と、ボリュームスイッチ１０６と、ホールドスイッチ１０７と、リセットスイッチ１０８とが設けられる。
【００２６】
ＤＡＰ１００は、不揮発性半導体メモリに対して情報の読み書きを行うことで音声データ、画像データ及び映像データ等を記録／再生可能な電子機器である。
【００２７】
窓部１０１は、例えばプラスチックからなる透明プレート部材２０３が、外装部１１０に設けられた開口から露出することで構成される。窓部１０１からは、後述する表示部の表示画面が光学的に露出する。
【００２８】
入力部１０２は、複数のスイッチ部材が、外装部１１０に設けられた開口から露出することで構成される。入力部１０２の内側には、後述するスイッチ基板とメイン基板とが設けられる。複数のスイッチ部材は、例えば、ＢＡＣＫ／ＨＯＭＥスイッチ、ＯＰＴＩＯＮ／ＰＷＲ  ＯＦＦスイッチ、再生／一時停止スイッチ、４方向スイッチ、ホールドスイッチ、ボリュームスイッチ及びリセットスイッチ等である。ＢＡＣＫ／ＨＯＭＥスイッチは、表示部に表示されていた画面を再度表示させる等のためのスイッチである。ＯＰＴＩＯＮ／ＰＷＲ  ＯＦＦスイッチは、オプションメニューを表示部に表示させたり、ＤＡＰ１００を再生待機状態にさせる等のためのスイッチである。再生／一時停止スイッチは、音声データ等を再生及び一時停止させる等のためのスイッチである。４方向スイッチは，表示部に表示された項目を選択的に実行させる等のためのスイッチである。
【００２９】
音声出力ジャック１０３には、ヘッドホン等を接続可能である。マルチコネクタ１０４には、ＵＳＢ（Ｕｎｉｖｅｒｓａｌ  Ｓｅｒｉａｌ  Ｂｕｓ）等（外部機器）を接続可能である。ノイズキャンセリングスイッチレバー１０５は、スライド式スイッチの操作部であり、ノイズキャンセリング機能を有効／無効とするためのスイッチである。ボリュームスイッチ１０６は、音量を調節する等のためのスイッチである。ホールドスイッチ１０７は、各種スイッチの誤押下による誤作動を防止する等のためのスイッチである。リセットスイッチ１０８は、ＤＡＰ１００のリセット操作を行うためのスイッチである。
【００３０】
以上のような外部構成を有するＤＡＰ１００の内部構成について説明する。
【００３１】
図３は、ＤＡＰ１００の内部構成を示す分解斜視図である。図４は、図３に示す分解斜視図の部分拡大図である。図５は、図３に示す分解斜視図の別の部分拡大図である。
【００３２】
図３〜図５に示すように、ＤＡＰ１００は、互いに重ね合わせられるようにして設けられた複数の部材からなる。具体的には、ＤＡＰ１００は、第１の外装部材２００と、透明プレート部材２０３と、連結部材３００と、表示器４００と、基体５００と、バッテリ４５０と、スイッチ基板６００と、メイン基板６５０と、第２の外装部材７００とを有する。上記各部材は、この順に互いに重ね合わせられるようにして設けられている。
【００３３】
第１の外装部材２００は、例えばアルミニウムからなる。第１の外装部材２００は、主面部２０１と、主面部２０１の外周部に設けられた折り曲げ部２０２（第１の折り曲げ部）とを有する。主面部２０１には、上述の透明プレート部材２０３により構成される窓部１０１と、入力部１０２とが設けられる。折り曲げ部２０２は、音声出力ジャック１０３が設けられる領域を除いた全域に連続的に設けられている。折り曲げ部２０２は、マルチコネクタ１０４等が外装部１１０から露出するように設けられる領域近傍では主面部２０１からの長さが短く設計されている。一方、その他の領域では主面部２０１からの長さが長く設計されている箇所もあり、一部には後述する連結部材３００に対する装着に使用する開口２０４が設けられている。
【００３４】
第２の外装部材７００は、例えばアルミニウムからなる。第２の外装部材７００は、主面部２０１と略同一の輪郭形状を有する主面部７０１と、主面部７０１の外周部に設けられた折り曲げ部７０２（第２の折り曲げ部）とを有する。主面部７０１には、リセットスイッチ１０８のための開口７０３と、後述の連結部材３００の図示しない螺子孔に螺子止めを行うためのボス穴７０５とが設けられる。折り曲げ部７０２は、音声出力ジャック１０３が設けられる領域を除いた全域に連続的に設けられている。折り曲げ部７０２は、マルチコネクタ１０４等が外装部１１０から露出するように設けられる領域近傍では主面部７０１からの長さが短く設計されている。一方、その他の領域では主面部７０１からの長さが長く設計されている箇所もあり、一部には後述する連結部材３００に対する装着に使用する開口７０４が設けられている。
【００３５】
連結部材３００は、例えば樹脂からなり、表面に露出する領域は例えばアルミニウムでメッキされている。連結部材３００は、連結外装部３１０と、スイッチプレート部３５０とを有する。連結外装部３１０は、環状であり、連結外装部３１０は、第１の外装部材２００と第２の外装部材７００とを連続的に連結する。この連結については、後に詳述する。連結外装部３１０には、上記各種スイッチ１０５、１０６、１０７と、音声出力ジャック１０３と、マルチコネクタ１０４とが露出する開口が設けられる。スイッチプレート部３５０は、第１の外装部材２００の主面部２０１の窓部１０１が設けられていない領域に対応して設けられる。スイッチプレート部３５０には、入力部１０２としての複数のスイッチ部材が設けられている。複数のスイッチ部材は、後述するスイッチ基板６００に設けられたスイッチ端子をそれぞれ押下可能に構成される。連結部材３００と、第１の外装部材２００と、第２の外装部材７００とが、外装部１１０を構成する。
【００３６】
表示器４００は、例えば矩形状の液晶ディスプレイであり、一面に表示面４０１を有する。表示面４０１は、窓部１０１よりわずかに大きく、透明プレート部材２０３を介して窓部１０１から光学的に露出する。表示器４００の一端部例えば矩形の一短辺部には、フレキシブルプリント基板４０２が設けられる。フレキシブルプリント基板４０２には、開口４０３が設けられている。フレキシブルプリント基板４０２は、後述するメイン基板６５０に設けられたコネクタに接続される。
【００３７】
バッテリ４５０は、ＤＡＰ１００に電源を供給するためのバッテリである。バッテリ４５０は、表示器４００と同様の矩形状を有するが、若干寸法を異にする。例えば、バッテリ４５０の矩形の短辺は、表示器４００の矩形の短辺よりも短く、バッテリ４５０の厚さは、表示器４００の厚さより大きくてもよい。バッテリ４５０は、図示しない接続ケーブルにより、基板に接続される。
【００３８】
基体５００は、アルミダイカストからなる。基体５００の側面５０１には、ボリュームスイッチ１０６とホールドスイッチ１０７のためのスイッチ端子５０２が設けられたフレキシブルプリント基板５０３が設けられる。フレキシブルプリント基板５０３は、後述するメイン基板６５０に設けられたコネクタに接続される。基体５００には、連結部材３００の図示しない螺子孔に対して螺子止めするための開口５０４が設けられる。基体５００は、表裏に第１の主面５１１と第２の主面５２１とを有する主面部５１０を有する。第１の主面５１１は、第１の外装部材２００と対向する側の面である。第２の主面５２１は、第２の外装部材７００と対向する側の面である。第１の主面５１１側には、表示器４００が設けられる。第１の主面５１１の矩形の一短辺部には、突出部５１４が設けられる。突出部５１４は、フレキシブルプリント基板４０２に設けられた開口４０３に挿入され、フレキシブルプリント基板４０２を支持する。第２の主面５２１側には、バッテリ４５０が設けられる。なお、基体５００の構成及び基体５００に対する表示器４００及びバッテリ４５０の装着に関しては、後に詳述する。
【００３９】
スイッチ基板６００は、表裏に部品実装面（第３の部品実装面）を有し、複数のスイッチ端子６０１と、ノイズキャンセリングスイッチ端子６０２（第１のスイッチ）とが設けられる。複数のスイッチ端子６０１は、入力部１０２としての複数のスイッチ部材に対応して設けられる。スイッチ端子６０１は、入力部１０２を介して押下される。ノイズキャンセリングスイッチ端子６０２には、ノイズキャンセリングスイッチレバー１０５を構成する後述のノイズキャンセリングスイッチ部材が装着される。スイッチ基板６００の、スイッチ端子６０１が設けられた面と反対側の面には、図示しないチップと複数のコネクタとが設けられる。一方のコネクタには、音声出力ジャック１０３に設けられた図示しないフレキシブル基板が接続される。もう一方のコネクタには、後述するメイン基板に設けられたコネクタが接続される。音声出力ジャック１０３は、例えば亜鉛ダイカストからなるジャック保持部材８００に保持される。ジャック保持部材８００及びこの保持構造に関しては、後に詳述する。
【００４０】
メイン基板６５０は、表裏に部品実装面（第１の部品実装面、第２の部品実装面）を有し、は、マルチコネクタ１０４と、基板接続コネクタ６５１と、図示しないチップとが設けられる。マルチコネクタ１０４は、連結部材３００に設けられた開口からＤＡＰ１００の外部へ露出する。マルチコネクタ１０４は、コネクタ保持部材９００に保持される。コネクタ保持部材９００及びこの保持構造に関しては、後に詳述する。基板接続コネクタ６５１は、スイッチ基板６００に設けられた図示しないコネクタと接続される。メイン基板６５０の、マルチコネクタ１０４等が設けられた面と反対側の面には、後述のリセットスイッチ端子と、複数のコネクタとが設けられる。リセットスイッチ端子は、第２の外装部材７００に設けられた開口７０３を介して押下可能である。一方のコネクタには、表示器４００に設けられたフレキシブルプリント基板４０２が接続される。もう一方のコネクタには、基体５００に設けられたフレキシブルプリント基板５０３が接続される。
【００４１】
スイッチ基板６００とメイン基板６５０との間には、スペーサ部材６７０（第２のスペーサ部材）が設けられる。スペーサ部材６７０は、スイッチ基板６００とメイン基板６５０の対向する２面にそれぞれ設けられたコネクタやチップの凹凸により生じるスイッチ基板６００とメイン基板６５０との間隔の差を埋めるための部材である。具体的には、スペーサ部材６７０の表裏面に、チップやコネクタの表面形状に対応した凹凸が設けている（第２の凹凸面、第３の凹凸面）。すなわち、スイッチ基板６００と、スペーサ部材６７０と、メイン基板６５０とをこの順に重ね合わせると、それぞれの対向しあう隙間が極めて微細なものとなる。これにより、例えば入力部１０２を押下したときやその他衝撃がＤＡＰ１００に加わったときであっても、スイッチ基板６００とメイン基板６５０との位置関係にずれが生じ難く、スイッチ基板６００及びメイン基板６５０等が損傷しにくい構造となっている。
【００４２】
メイン基板６５０と第２の外装部材７００との間にも、同様の機能を有するスペーサ部材６８０（第１のスペーサ部材）が設けられる。具体的には、スペーサ部材６７０のメイン基板６５０に対向する面には、チップやコネクタの表面形状に対応した凹凸が設けている（第１の凹凸面）。
【００４３】
すなわち、メイン基板６５０と、スペーサ部材６８０と、第２の外装部材７００とをこの順に重ね合わせると、それぞれの対向しあう隙間が極めて微細なものとなる。これにより、例えば入力部１０２を押下したときやその他衝撃がＤＡＰ１００に加わったときであっても、メイン基板６５０と第２の外装部材７００との位置関係にずれが生じ難く、メイン基板６５０等が損傷しにくい構造となっている。
【００４４】
以上のようにして、ＤＡＰ１００が構成される。次に、ＤＡＰ１００を構成する各部材同士のより詳細な構造について説明する。
【００４５】
［表示部及びバッテリの基板に対する装着構造］
先ず、基体５００の構成及び基体５００に対して表示器４００とバッテリ４５０とを装着する構造について説明する。図６は、図１に示すＡ−Ａ断面から見たＤＡＰ１００を示す断面図である。図７は、図６に示す基体５００を示す断面図である。
【００４６】
図７に示すように、第１の主面５１１には、第１の主面５１１が凹形の底面となるように第１の側面５１２が設けられる。すなわち、第１の主面５１１と第１の側面５１２の内周面５１５とで、第１の凹部５１３が形成される。第１の凹部５１３の底面形状すなわち第１の主面５１１の形状は、表示器４００の平面視形状と略等しく、表示器４００を第１の凹部５１３に嵌装可能である。第１の側面５１２の第１の主面５１１からの長さＬ１は、表示器４００の厚みよりわずかに大きい。
【００４７】
第２の主面５２１には、第２の主面５２１が凹形の底面となるように第２の側面５２２が設けられる。すなわち、第２の主面５２１と第２の側面５２２の内周面５２４とで、第２の凹部５２３が形成される。第２の凹部５２３の底面形状すなわち第２の主面５２１の形状は、バッテリ４５０の平面視形状と略等しく、バッテリ４５０を第２の凹部５２３に嵌装可能である。５２２の第２の主面５２１からの長さＬ２は、バッテリ４５０の厚みと略等しい。
【００４８】
基体５００の主面部５１０の厚みＴ１はおよそ０．５〜１．０ｍｍであり、具体的には０．５ｍｍである。
【００４９】
図６に示すように、第１の凹部５１３には、表示器４００が装着される。第１の側面５１２の第１の主面５１１からの長さＬ１は、表示器４００の厚みよりわずかに大きいため、表示器４００を第１の凹部５１３に嵌装したとき、表示器４００の表示画面４０４が第１の側面５１２の端部より低く位置する。この第１の側面５１２の端部には、透明プレート部材２０３が載置される。この結果、表示画面４０４と、透明プレート部材２０３との間にクリアランスＣ１が生じる。透明プレート部材２０３は、第１の外装部材２００の主面部２０１と、基体５００の第１の側面５１２の端部とによって挟持されている。
【００５０】
第２の凹部５２３には、バッテリ４５０が装着される。第２の側面５２２の第２の主面５２１からの長さＬ２は、バッテリ４５０の厚みと略等しいため、バッテリ４５０を第２の凹部５２３に嵌装したとき、バッテリ４５０の第２の外装部材７００と対向する面４５１と第２の側面５２２の端部とが略平面上に位置する。バッテリ４５０の面４５１と第２の側面５２２の端部とは、第２の外装部材７００の主面部７０１に当接する。
【００５１】
ここで、基体５００の材料であるアルミダイカストについて説明する。特許文献１で使用されるマグネシウムダイカストは、軽量であるという利点を有するものの（マグネシウムの比重はおよそ１．８である。）、薄肉に形成すると剛性が低下する。そこで、堅牢性を向上させるために基体の主面部を厚肉に形成すると、ＤＡＰの厚みが増加するおそれが生じる。また、亜鉛ダイカストを使用することもある。亜鉛ダイカストは、薄肉に形成することが可能であり薄肉であっても高精度が得られるという利点を有するものの、比重が大きく（亜鉛の比重はおよそ６．９である。）、体積の大きい基体に使用すると、ＤＡＰが重量化してしまう。一方、アルミダイカストは比重が比較的小さく軽量である上（アルミニウムの比重はおよそ２．７である。）、基体の主面部を薄肉例えば０．５ｍｍに形成したとしても剛性を保つことができるという利点を有する。ダイカストは、例えば板金と比較して、成形品の平面度を高くすることができる。さらに、成形品に角度を持たせたいとき、例えば板金の場合は折り曲げることで角度を持たせるため、精度が低くなってしまう。一方、ダイカストでは成形品に高い精度で所望の角度を形成することが可能である。
【００５２】
上記特徴を有するアルミダイキャストからなる基体５００により、ＤＡＰ１００は、以下の利点を有する。先ず、バッテリ４５０に着目する。バッテリ４５０は、外周側面において第２の側面５２２の内周面５２４に包囲されており、高い剛性が得られる。一方、バッテリ４５０は、基体５００の第２の主面５２１と第２の外装部材７００によっても当接されている。すなわち、バッテリ４５０は６面から剛的に指示されている。ここで、アルミダイカストの高平面度により、バッテリ４５０と基体５００との間にクリアランスが生じず、ＤＡＰ１００の薄型化に寄与するとともに、剛性を高めることができる。また、ダイカストの性質上、成形品に所望の形状のだ肉を設けられるので、バッテリ４５０のサイズに対応した基体５００を精度よく形成することができる。
【００５３】
次に、表示器４００及び透明プレート部材２０３に着目する。表示器４００は、外周側面において第１の側面５１２の内周面５１５に包囲されており、高い剛性が得られる。一方、表示器４００は、基体５００の第１の主面５１１と第１の外装部材２００によっても当接されている。すなわち、表示器４００は５面から剛的に指示されている。ここで、アルミダイカストの高平面度により、表示器４００と第１の主面５１１との間にクリアランスが生じず、ＤＡＰ１００の薄型化に寄与するとともに、剛性を高めることができる。第１の側面５１２の端部は、透明プレート部材２０３を介して第１の外装部材２００と対向する。これにより、表示器４００が直接透明プレート部材２０３及び第１の外装部材２００と接触しないため、表示器４００が外部からの衝撃を直接受けることがなく、安全性が高い。
【００５４】
以上の構成によれば、第１の外装部材２００及び透明プレート部材２０３と第２の外装部材７００との間で、基体５００が柱としての役割を持つ。例えばアルミニウムからなる第１の外装部材２００及び第２の外装部材７００と例えばプラスチックからなる透明プレート部材２０３とは、外部からの衝撃を受けやすい。しかしながら、仮に衝撃を受けた場合であっても、基体５００が主面部５１０の面方向及び主面部５１０に対して垂直な方向において柱の役割を果たすため、薄型でありながらも衝撃に強い構造となっている。
【００５５】
例えば、透明プレート部材２０３からなる窓部１０１に外部から衝撃が加わった場合を仮定する。透明プレート部材２０３と表示画面４０４との間にはクリアランスＣ１があるため、透明プレート部材２０３が撓む等すると、表示画面４０４に物理的衝撃が加わるおそれがある。しかしながら、表示器４００の表示画面４０４と反対側の面は高平面度及び剛性を有する基体５００と当接しているため、衝撃が表示器４００を介して基体５００に吸収され、表示器４００自体が破損等するおそれが低減する。
【００５６】
［第１の外装部材及び第２の外装部材と連結部材との連結構造］
次に、第１の外装部材２００及び第２の外装部材７００と連結部材３００との連結構造について説明する。図８は、図６に示す連結部材３００の連結外装部３１０を示す断面図である。図９は、図４の鎖線円に示す領域の部分拡大図である。
【００５７】
図８及び図９に示すように、連結部材３００の連結外装部３１０は、内壁面に幅狭長尺の突出部３１１が設けられる。突出部３１１の端部に接して、ＤＡＰ１００の内部側に、プレート状の位置決め部３１２が設けられる。位置決め部３１２には、ＤＡＰ１００の高さ方向に複数の爪部３１３が設けられている。突出部３１１及び位置決め部３１２は、途中間隔をあけながらも、基体５００が設けられる領域全域に設けられる。位置決め部３１２と連結外装部３１０の内壁面との間には、突出部３１１のほかに、位置決め部３１２を連結外装部３１０に対して支持する複数の支持部３１８が設けられる。一方、連結外装部３１０の外周面には、外周方向に膨出した膨出部３１４が設けられている。膨出部３１４と位置決め部３１２及び爪部３１３とにより、溝部３１５、３１６（第１の係合部、第２の係合部）が構成される。すなわち、連結外装部３１０は略Ｈ形状の断面を有する。
【００５８】
図６に示すように、ＤＡＰ１００が構成されるとき、第１の外装部材２００の折り曲げ部２０２が連結外装部３１０の溝部３１５に係合するとともに、第２の外装部材７００の折り曲げ部７０２が連結外装部３１０の溝部３１６に係合する。位置決め部３１２は、基体５００の外周面に当接する。これにより、ＤＡＰ１００の面方向に剛性を有する構造を得ることができる。また、連結部材３００は断面形状が略Ｈ形状であるため、連結部材３００自体に加えられたねじれ等の衝撃に強い構造となる。さらに、連結部材３００は上述のように間断のない一体的な部材であるため、第１の外装部材２００と第２の外装部材７００とが強固に連結される。これにより、ＤＡＰ１００の堅牢性を向上させることができる。
【００５９】
連結外装部３１０に設けられるボリュームスイッチ１０６とホールドスイッチ１０７との間や音声出力ジャック１０３を設ける領域には、爪部３１７が設けられる。爪部３１７には、第１の外装部材２００の開口２０４及び第２の外装部材７００の開口７０４が係合される。これにより、外部からの衝撃等の影響を受けやすいスイッチ１０６、１０７及び音声出力ジャック１０３近傍において、溝部３１５、３１６における係合よりもさらに剛性の高い係合関係が達成できる。
【００６０】
膨出部３１４は、第１の外装部材２００の主面部２０１及び第２の外装部材７００の主面部７０１の端部から膨出しており、断面略く字形状を有する。このような形状とすることで、ユーザはＤＡＰ１００を実際の表面積より小さく、実際の厚みよりも薄く認識するとともに、ユーザの保持性が向上する。
【００６１】
［ジャック保持部材による音声出力ジャックの保持構造］
次に、音声出力ジャック１０３がジャック保持部材８００に保持される保持構造に関して説明する。
【００６２】
図１０は、ジャック保持部材８００を示す６面図である。図１１は、図１に示すＢ−Ｂ断面から見たＤＡＰ１００を示す断面図である。
【００６３】
図１０に示すように、ジャック保持部材８００は、断面略凹字形状の筒形状を有する。ジャック保持部材８００は、互いに略平行に形成された側面８０１、８０２と、側面８０１、８０２を連結する連結面８０３とを有する。連結面８０３は、側面８０１、８０２と比較して薄肉に形成されている。この面８０１、８０２、８０３により凹部８０４が構成される。側面８０１には、連結外装部３１０の内周面に対応した凹凸が設けられている。側面８０２には、開口を有する取付け部８０５が設けられる。取付け部８０５は、ジャック保持部材８００をスイッチプレート部３５０の図示しないボス穴に取り付けるための部材である。凹部８０４は、音声出力ジャック１０３を保持可能なサイズに形成されている。すなわち、音声出力ジャック１０３の外径は、凹部８０４の内径と略等しい。ジャック保持部材８００が音声出力ジャック１０３を保持するとき、音声出力ジャック１０３はジャック保持部材８００から露出する側面１０３ａと、側面８０１、８０２の端部８０６、８０７が段差なく略同一平面上に位置するよう構成されている。
【００６４】
図１１に示すように、音声出力ジャック１０３を保持するジャック保持部材８００は、第１の外装部材２００と第２の外装部材７００との間に挟持される。ここで、連結面８０３は第１の外装部材２００に当接する。一方、側面８０１は、凹凸を対応させつつ連結外装部３１０と当接する。さらに、側面８０１、８０２の端部８０６、８０７と音声出力ジャック１０３の側面１０３ａとは、第２の外装部材７００に当接する。
【００６５】
この構成により、側面８０１、８０２と、第１の外装部材２００に当接される薄肉の連結面８０３と、第２の外装部材７００とにより４面方向から音声出力ジャック１０３が保持される。すなわち、ジャック保持部材８００だけでなく、第１の外装部材２００及び第２の外装部材７００によっても音声出力ジャック１０３が保持される。これにより、ジャック保持部材８００に４面を持たせ、さらに外装部材２００、７００を設ける場合に比べてＤＡＰ１００を薄型化することが可能となる。具体的には、ＤＡＰ１００の厚さが、音声出力ジャック１０３の厚さに加えて、薄肉の連結面８０３と、第１の外装部材２００と、第２の外装部材７００との厚さだけからなるので、極めて薄型のＤＡＰ１００を構成することができる。
【００６６】
［コネクタ保持部材の構造］
図１２は、コネクタ保持部材９００を示す斜視図である。図１３は、レバー部材９５０（第１の操作部）を２方向から示す斜視図である。図１４は、スイッチ基板６００とメイン基板６５０とにコネクタ保持部材９００とレバー部材９５０とを設けた様子を示す表面斜視図である。図１５は、スイッチ基板６００とメイン基板６５０とにコネクタ保持部材９００とレバー部材９５０とを設けた様子を示す裏面斜視図である。
【００６７】
図１２に示すように、コネクタ保持部材９００は、マルチコネクタ１０４を保持する部材であり、プレート状のベース部９０１を有する。ベース部９０１には、ベース部９０１から立ち上がるようにして設けられたコネクタ保持部９０２と、スライド部９０３と、ベース部９０１と平行に設けられた弾性部９０４（第２の操作部）とが設けられる。ベース部９０１には、螺子止め等に使用される複数の開口９０５が設けられる。コネクタ保持部９０２は、マルチコネクタ１０４を包囲可能なサイズを有する。
【００６８】
図１３に示すように、レバー部材９５０は、プレート状のベース部９５１を有する。ベース部９５１には、一方の面にユーザに操作されるノイズキャンセリングスイッチレバー１０５と、もう一方の面にスライド支持部９５２とが設けられる。スライド支持部９５２は、凹部９５３を有する。言い換えれば、スライド支持部９５２は断面凹字形状を有する。
【００６９】
図１４及び図１５に示すように、メイン基板６５０に設けられたマルチコネクタ１０４にコネクタ保持部材９００を装着する。具体的には、コネクタ保持部９０２のベース部９０１からの立ち上がりがメイン基板６５０の端部と当接するように配置され、コネクタ保持部９０２がマルチコネクタ１０４を包囲する。ここで、ベース部９０１に設けられた開口９０５は、メイン基板６５０に設けられた開口に対応し、螺子止めが行われる。
【００７０】
コネクタ保持部材９００のスライド部９０３には、レバー部材９５０が設けられる。レバー部材９５０のスライド支持部９５２がスライド部９０３と当接するとともに、凹部９５３がノイズキャンセリングスイッチ端子６０２に嵌装される。これにより、レバー部材９５０のコネクタ保持部材９００のスライド部９０３をスライドさせることで、ノイズキャンセリングスイッチ端子６０２が操作される。
【００７１】
メイン基板６５０の裏面すなわち第２の外装部材７００と対向する面にはリセットスイッチ端子６５２（第２のスイッチ）が設けられる。上述のようにコネクタ保持部材９００をメイン基板６５０に装着したとき、メイン基板６５０に設けられた弾性部９０４がリセットスイッチ端子６５２に対応して位置する。弾性部９０４は、第２の外装部材に設けられた開口７０３を介して弾性部９０４を押下可能である。
【００７２】
すなわち、コネクタ保持部材９００は、マルチコネクタ１０４を保持するとともに、レバー部材９５０のスライド部及びリセットスイッチとしての機能も有する。すなわち、これらの機能を１つの部材で達成することができ、部品点数の削減を図ることができる。
【００７３】
本発明に係る実施形態は、以上説明した実施形態に限定されず、他の種々の実施形態が考えられる。
【００７４】
例えば、ジャック保持部材８００の連結面８０３は、第１の外装部材２００に当接された。しかし、これに限定されず、第２の外装部材７００に当接されるよう配置してもよい。
【００７５】
本発明に係る携帯型電子機器として、デジタルオーディオプレーヤを例に挙げた。しかし、これに限定されず、携帯型電子機器としては、携帯電話、携帯型ゲーム機器及びＰＤＡ（Ｐｅｒｓｏｎａｌ  Ｄｉｇｉｔａｌ  Ａｓｓｉｓｔａｎｔ；携帯情報端末）等であってもよい。
【図面の簡単な説明】
【００７６】
【図１】本実施形態に係る携帯型電子機器を示す表面斜視図である。
【図２】図１に示す携帯型電子機器を示す裏面斜視図である。
【図３】デジタルオーディオプレーヤ（ＤＡＰ）の内部構成を示す分解斜視図である。
【図４】図３に示す分解斜視図の部分拡大図である。
【図５】図３に示す分解斜視図の別の部分拡大図である。
【図６】図１に示すＡ−Ａ断面から見たＤＡＰを示す断面図である。
【図７】図６に示す基体を示す断面図である。
【図８】図６に示す連結部材の連結外装部を示す断面図である。
【図９】図４の鎖線円に示す領域の部分拡大図である。
【図１０】ジャック保持部材を示す６面図である。
【図１１】図１に示すＢ−Ｂ断面から見たＤＡＰを示す断面図である。
【図１２】コネクタ保持部材を示す斜視図である。
【図１３】ノイズキャンセリングスイッチ部材を２方向から示す斜視図である。
【図１４】スイッチ基板とメイン基板とにコネクタ保持部材とノイズキャンセリングスイッチ部材とを設けた様子を示す表面斜視図である。
【図１５】スイッチ基板とメイン基板とにコネクタ保持部材とノイズキャンセリングスイッチ部材とを設けた様子を示す裏面斜視図である。
【符号の説明】
【００７７】
１００…デジタルオーディオプレーヤ（ＤＡＰ）
１０１…窓部
１０２…入力部
１０３…音声出力ジャック
１０４…マルチコネクタ
１１０…外装部
２００…第１の外装部材
２０１、７０１…主面部
２０３…透明プレート部材
３００…連結部材
３１１…突出部
３１４…膨出部
３１８…支持部
４００…表示器
４０４…表示画面
４５０…バッテリ
５００…基体
５１０…主面部
５１１…第１の主面
５１３…第１の凹部
５２１…第２の主面
５２３…第２の凹部
７００…第２の外装部材
【図１】
2010055361.tif 000003
【図２】
2010055361.tif 000004
【図３】
2010055361.tif 000005
【図４】
2010055361.tif 000006
【図５】
2010055361.tif 000007
【図６】
2010055361.tif 000008
【図７】
2010055361.tif 000009
【図８】
2010055361.tif 000010
【図９】
2010055361.tif 000011
【図１０】
2010055361.tif 000012
【図１１】
2010055361.tif 000013
【図１２】
2010055361.tif 000014
【図１３】
2010055361.tif 000015
【図１４】
2010055361.tif 000016
【図１５】
2010055361.tif 000017